(57)【要約】【課題】排気ファンを有する表示装置において、簡易な構成で、排気ファンの放熱効率を低下させることなくディスプレイに付着した埃等を吹き飛ばす。【解決手段】筐体１０内に表示画面が筐体１０の前面から露出するように配置されたディスプレイ１１と、筐体１０内に配置された排気ファン１２と、前記筐体の後面側に設けられ排気ファン１２の回転により生じた風を排出する第１排気口１３と、を備える表示装置１において、第１排気口１３を開閉可能なシャッター１４と、ディスプレイ１１の前側上方に設けられ、ディスプレイ１１の下方に向けて開口し、筐体１０内と連通する第２排気口１５と、を備えるよう構成した。【選択図】図１
2009020170.tif 000002
【特許請求の範囲】
【請求項１】
筐体内に表示画面が当該筐体の前面から露出するように配置されたディスプレイと、前記筐体内に配置された排気ファンと、前記筐体の後面側に設けられ前記排気ファンの回転により生じた風を排出する第１排気口と、を備える表示装置において、
前記第１排気口を開閉可能なシャッターと、
前記ディスプレイの前側上方に設けられ、前記ディスプレイの下方に向けて開口し、前記筐体内と連通する第２排気口と、
を備えることを特徴とする表示装置。
【請求項２】
請求項１に記載の表示装置において、
前記排気ファンの回転により生じた風を前記第２排気口へと導くダクトを備えることを特徴とする表示装置。
【請求項３】
請求項１又は２に記載の表示装置において、
前記シャッターにより前記第１排気口が閉じられてからの時間を計時する計時手段と、
前記計時手段により計時された時間が所定時間を上回ったか否かを判断する判断手段と、
前記判断手段により上回ったと判断された場合に、その旨を報知する報知手段と、
を備えることを特徴とする表示装置。
【請求項４】
筐体内に表示画面が当該筐体の前面から露出するように配置されたディスプレイと、前記筐体内に配置された排気ファンと、前記筐体の後面側に設けられ前記排気ファンの回転により生じた風を排出する第１排気口と、を備える表示装置において、
前記第１排気口を開閉可能なシャッターと、
前記ディスプレイの前側上方に設けられ、前記ディスプレイの下方に向けて開口し、前記筐体内と連通する第２排気口と、
前記排気ファンの回転により生じた風を前記第２排気口へと導くダクトと、
前記シャッターにより前記第１排気口が閉じられてからの時間を計時する計時手段と、
前記計時手段により計時された時間が所定時間を上回ったか否かを判断する判断手段と、
前記判断手段により上回ったと判断された場合に、その旨を報知する報知手段と、
を備えることを特徴とする表示装置。
【発明の詳細な説明】
【技術分野】
【０００１】
本発明は、表示装置に関する。
【背景技術】
【０００２】
テレビジョン受信装置等のディスプレイを有する表示装置においては、通常の使用でディスプレイに埃等が付き、定期的に掃除しなければ画面が見づらくなってしまう。
【０００３】
そこで、排気ファンの吸気口付近の塵埃を吹き飛ばすファンを設けて、吸気口に塵埃が付着しないように構成された表示装置（例えば、特許文献１参照）のように、排気ファンの他に別途ファンを設けてディスプレイ付近の埃等を吹き飛ばす手法が考えられる。
また、ディスプレイの表示画面を開閉するシャッターを有する表示装置において、シャッターと一体に移動されるエアノズルを設けて、シャッターの移動時にエアノズルから表示画面に向けてエアを吹き付けて掃除する表示装置（例えば、特許文献２参照）のような手法も考えられる。
また、表示装置が有する冷却ファンの位置をディスプレイの前側下方に移動させて、冷却ファンの風を表示画面に吹き付けるように構成された表示装置（例えば、特許文献３参照）のような手法も考えられる。
また、表示装置が有する冷却ファンの風を噴き出す噴出口の位置をディスプレイの前側上方に移動させて、冷却ファンの風を表示画面に吹き付けるように構成された表示装置（例えば、特許文献４参照）のような手法も考えられる。
【特許文献１】特開２００２−９４７６号公報
【特許文献２】特開２０００−１９９７５号公報
【特許文献３】特開平３−２０８０８６号公報
【特許文献４】特開昭６２−５４４９８号公報
【発明の開示】
【発明が解決しようとする課題】
【０００４】
しかしながら、特許文献１及び２の手法は、排気ファンの他に、埃等を吹き飛ばすためのファンやエアノズルを別途設けなければならない。
また、特許文献３の手法は、埃等を吹き飛ばすためのファンやエアノズルを別途設ける必要はないが、排気ファン（冷却ファン）の位置を、通常の位置（ディスプレイの後側等）からディスプレイの前側下方に変更しなければならず、配置スペース等の問題があって、排気ファンの配置効率が悪い。
また、特許文献４の手法も、埃等を吹き飛ばすためのファンやエアノズルを別途設ける必要はないが、排気ファン（冷却ファン）の風が筐体内を回ってディスプレイの前側上方に設けられた噴出口から排出されるため、排気ファンの放熱効率が低下するという問題がある。
【０００５】
本発明の課題は、排気ファンを有する表示装置において、簡易な構成で、排気ファンの放熱効率を低下させることなくディスプレイに付着した埃等を吹き飛ばすことにある。
【課題を解決するための手段】
【０００６】
上記課題を解決するために、請求項１に記載の発明は、
筐体内に表示画面が当該筐体の前面から露出するように配置されたディスプレイと、前記筐体内に配置された排気ファンと、前記筐体の後面側に設けられ前記排気ファンの回転により生じた風を排出する第１排気口と、を備える表示装置において、
前記第１排気口を開閉可能なシャッターと、
前記ディスプレイの前側上方に設けられ、前記ディスプレイの下方に向けて開口し、前記筐体内と連通する第２排気口と、
を備えることを特徴とする。
【０００７】
請求項２に記載の発明は、
請求項１に記載の表示装置において、
前記排気ファンの回転により生じた風を前記第２排気口へと導くダクトを備えることを特徴とする。
【０００８】
請求項３に記載の発明は、
請求項１又は２に記載の表示装置において、
前記シャッターにより前記第１排気口が閉じられてからの時間を計時する計時手段と、
前記計時手段により計時された時間が所定時間を上回ったか否かを判断する判断手段と、
前記判断手段により上回ったと判断された場合に、その旨を報知する報知手段と、
を備えることを特徴とする。
【０００９】
請求項４に記載の発明は、
筐体内に表示画面が当該筐体の前面から露出するように配置されたディスプレイと、前記筐体内に配置された排気ファンと、前記筐体の後面側に設けられ前記排気ファンの回転により生じた風を排出する第１排気口と、を備える表示装置において、
前記第１排気口を開閉可能なシャッターと、
前記ディスプレイの前側上方に設けられ、前記ディスプレイの下方に向けて開口し、前記筐体内と連通する第２排気口と、
前記排気ファンの回転により生じた風を前記第２排気口へと導くダクトと、
前記シャッターにより前記第１排気口が閉じられてからの時間を計時する計時手段と、
前記計時手段により計時された時間が所定時間を上回ったか否かを判断する判断手段と、
前記判断手段により上回ったと判断された場合に、その旨を報知する報知手段と、
を備えることを特徴とする。
【発明の効果】
【００１０】
本発明によれば、筐体内に表示画面が筐体の前面から露出するように配置されたディスプレイと、筐体内に配置された排気ファンと、筐体の後面側に設けられ排気ファンの回転により生じた風を排出する第１排気口と、を備える表示装置において、第１排気口を開閉可能なシャッターと、ディスプレイの前側上方に設けられ、ディスプレイの下方に向けて開口し、筐体内と連通する第２排気口と、を備えている。
したがって、シャッターを閉じると、排気ファンの回転により生じた風が、第２排気口のみから排出されて、ディスプレイの表面に吹き付けられることになるため、ディスプレイに付着した埃等を吹き飛ばすことができるとともに、シャッターを開けると、排気ファンの回転により生じた風が、第１排気口からも排出されることになるため、排気ファンの放熱効率を維持することができる。
すなわち、シャッター及び第２排気口を設けるだけの簡易な構成で、排気ファンの放熱効率を低下させることなくディスプレイに付着した埃等を吹き飛ばすことができる。
【発明を実施するための最良の形態】
【００１１】
以下、図を参照して、本発明にかかる表示装置の最良の形態を詳細に説明する。なお、発明の範囲は、図示例に限定されない。
【００１２】
＜表示装置の構成＞
本発明の表示装置１の構成について、図１〜図３を参照して説明する。
【００１３】
表示装置１は、ディスプレイ１１と、排気ファン１２と、排気ファン１２の風を排出する第１排気口１３と、などを備える表示装置である。具体的には、表示装置１は、例えば、テレビジョン受信装置、ＤＶＤ（Digital Versatile Disc）レコーダと一体型のテレビジョン受信装置や、ハードディスクレコーダと一体型のテレビジョン受信装置などであるが、ディスプレイ１１と、排気ファン１２と、第１排気口１３と、を備える装置であれば、特に限定されるものではない。
【００１４】
ここで、表示装置１の筐体１０におけるディスプレイ１１の表示画面が露出する面を前面（正面）とし、正面に対向する一側面を後面とする。また、ディスプレイ１１の横方向を左右方向とし、ディスプレイ１１の縦方向を上下方向とする。
【００１５】
表示装置１は、例えば、図１〜図３に示すように、筐体１０と、筐体１０内に表示画面が筐体１０の前面から露出するように配置されたディスプレイ１１と、筐体１０内に配置された排気ファン１２と、筐体１０の後面側に設けられた第１排気口１３と、筐体１０の後面に設けられたシャッター１４と、筐体１０におけるディスプレイ１１の前側上方に設けられた第２排気口１５と、筐体１０内に配置されたダクト１６と、シャッター１４の開閉を検知するセンサ１７と、シャッター１４が閉じられている間の時間を計時する計時部１８と、表示装置１を制御する制御部１９と、などを備えて構成される。
【００１６】
筐体１０は、例えば、外形が略直方体形状を成し、前面キャビネットと後面キャビネットとが組み合わされて構成されている。
【００１７】
ディスプレイ１１は、例えば、液晶ディスプレイやプラズマディスプレイ、ＣＲＴ（Cathode Ray Tube）ディスプレイなどである。
ディスプレイ１１は、例えば、制御部１９から入力される表示信号に従って所与の表示処理を行う。
【００１８】
具体的には、ディスプレイ１１は、例えば、表示装置１がＤＶＤレコーダやハードディスクレコーダと一体型のテレビジョン受信装置であれば、図示しないチューナにより受信されたテレビジョン放送信号に基づくコンテンツに関する映像や、ＤＶＤやハードディスクに録画されたコンテンツに関する映像などを表示する。
また、ディスプレイ１１は、例えば、報知手段として、シャッター１４により第１排気口１３が閉じられてからの時間が所定時間を上回ったと判断された場合に、その旨を報知する。
【００１９】
排気ファン１２は、例えば、表示装置１の内部を冷却等するために、回転して風を生じさせて表示装置１の内部の空気を表示装置１の外部に排出するためのファンであり、“冷却ファン”と呼ばれる場合もある。
排気ファン１２は、例えば、筐体１０の内部における第１排気口１３の前方に配置されている。
【００２０】
排気ファン１２は、例えば、排気ファン駆動部１２ａによって駆動されて、回転するようになっている。
排気ファン駆動部１２ａは、例えば、モータなどを備え、制御部１９から入力される制御信号に従って、排気ファン１２を回転させる。
【００２１】
第１排気口１３は、例えば、排気ファン１２の回転により生じた風を排出する。
第１排気口１３は、例えば、筐体１０の後面下側の右寄りに配置されている。第１排気口１３は、例えば、筐体１０がメッシュ状に開口されることによって形成されている。
第１排気口１３から排出される排気ファン１２の回転により生じた風は、前後方向に、筐体１０の内部から外部に向かって吹き出されるようになっている。
【００２２】
シャッター１４は、例えば、第１排気口１３を開閉する。
シャッター１４は、例えば、略矩形状の平板であり、例えば、第１排気口１３を開閉可能な位置に、左右端部が係止ガイド部１４ａによって上下移動自在に係止されている。すなわち、シャッター１４は、例えば、図１（ａ）や図２（ａ）に示すように、上方向に移動することによって第１排気口１３を開き、例えば、図１（ｂ）や図２（ｂ）に示すように、下方向に移動することによって第１排気口１４を閉じるようになっている。
なお、シャッター１４の形状は、第１排気口１３を開閉可能であれば特に限定されるものではなく、巻き取り式、折り畳み式、オーバースライダー式等であっても良い。また、シャッター１４は、第１排気口１３を開閉可能であれば、例えば、左右移動自在に係止されていても良い。
【００２３】
第２排気口１５は、例えば、筐体１０内と連通しており、排気ファン１２の回転により生じた風を排出する。
第２排気口１５は、例えば、ディスプレイ１１の上端に沿って配置されている。具体的には、筐体１０の上端部１０ａがディスプレイ１１の上端部１１ａから離間し、且つ筐体１０の上端部１０ａの先端がディスプレイの前面１１ｂよりも前方に突出するように覆い、さらにその先端が下方に延出した状態となっている。したがって、筐体１０の上端部１０ａとディスプレイ１１の上端部１１ａとの間には隙間が形成され、この隙間により第２排気口１５が形成される。第２排気口１５は、例えば、ディスプレイ１１の下方に向けて、ディスプレイ１１の左右方向の長さと略同等の長さに形成されている。
第２排気口１５から排出される排気ファン１２の回転により生じた風は、上下方向に、筐体１０の内部から外部に向かってディスプレイ１１の表面に沿って吹き出されるようになっている。これにより、ディスプレイ１１に付着した埃等を吹き飛ばすことができる。
【００２４】
ダクト１６は、例えば、排気ファン１２の回転により生じた風を第２排気口１５へと導く。
ダクト１６は、例えば、筐体１０の内面における、排気ファン１２の上方から第２排気口１５に亘って配置されている。ダクト１６の幅（左右方向の長さ）は、例えば、筐体１０の後面内部に配置された部分においては、第１排気口１４の幅と略同一となるように形成され、筐体１０の上面内部に配置された部分においては、第２排気口１５近傍で第２排気口１５の幅と略同一となるよう、後から前に向かって、第１排気口１４と略同一の幅から第２排気口１５と略同一の幅へと徐々に大きくなるように形成されている。
【００２５】
センサ１７は、例えば、接触式のセンサ等であり、シャッター１４により第１排気口１３が閉じられていることを検知して、当該検知信号を制御部１９に出力する。
センサ１７は、例えば、図１及び図２に示すように、シャッター１４により第１排気口１３が閉じられていることを検知できる位置、例えば、シャッター１４が閉じられた場合に当接する筐体１０の一部に配置されている。
【００２６】
計時部１８は、例えば、制御部１９から入力される制御信号に従って、所与の計時処理を行う。
具体的には、計時部１８は、例えば、計時手段として、シャッター１４により第１排気口１３が閉じられてからの時間を計時する。
【００２７】
制御部１９は、例えば、図３に示すように、ＣＰＵ（Central Processing Unit）１９１と、ＲＡＭ（Random Access Memory）１９２と、記憶部１９３と、などを備えて構成される。
【００２８】
ＣＰＵ１９１は、例えば、記憶部１９３に記憶された表示装置１用の各種処理プログラムに従って各種の制御動作を行う。
【００２９】
ＲＡＭ１９２は、例えば、ＣＰＵ１９１によって実行される処理プログラムなどを展開するためのプログラム格納領域や、入力データや上記処理プログラムが実行される際に生じる処理結果などを格納するデータ格納領域などを備える。
【００３０】
記憶部１９３は、例えば、表示装置１で実行可能なシステムプログラム、当該システムプログラムで実行可能な各種処理プログラム、これら各種処理プログラムを実行する際に使用されるデータ、ＣＰＵ１９１によって演算処理された処理結果のデータなどを記憶する。なお、プログラムは、コンピュータが読み取り可能なプログラムコードの形で記憶部１９３に記憶されている。
【００３１】
具体的には、記憶部１９３は、例えば、図３に示すように、表示制御プログラム１９３ａと、計時制御プログラム１９３ｂと、判断プログラム１９３ｃと、報知制御プログラム１９３ｄと、などを記憶している。
【００３２】
表示制御プログラム１９３ａは、例えば、所定の映像をディスプレイ１１に表示させる機能を、ＣＰＵ１９１に実現させる。
また、表示制御プログラム１９３ａは、例えば、排気ファン駆動部１２ａに制御信号を入力して、排気ファン１２を回転させる機能を、ＣＰＵ１９１に実現させる。
【００３３】
計時制御プログラム１９３ｂは、例えば、計時部１８に制御信号を入力して、シャッター１４により第１排気口１３が閉じられてからの時間を計時させる機能を、ＣＰＵ１９１に実現させる。
具体的には、ＣＰＵ１９１は、センサ１７からの検知信号の入力が開始されてから終了されるまでの間の時間を計時させる。
【００３４】
判断プログラム１９３ｃは、例えば、計時部１８により計時された時間が、予め設定された所定時間を上回ったか否かを判断する機能を、ＣＰＵ１９１に実現させる。
ＣＰＵ１９１は、かかる判断プログラム１９３ｃを実行することによって、判断手段として機能する。
【００３５】
報知制御プログラム１９３ｄは、例えば、判断プログラム１９３ｄを実行したＣＰＵ１９１によって、計時部１８により計時された時間が予め設定された所定時間を上回ったと判断された場合に、ディスプレイ１１に表示信号を入力して、その旨を報知させる機能を、ＣＰＵ１９１に実現させる。
具体的には、ＣＰＵ１９１は、例えば、ディスプレイ１１に「シャッターを開けてください」等の表示をさせることによって、その旨を報知させる。
【００３６】
＜報知処理＞
本発明の表示装置１による報知に関する処理について、図４のフローチャートを参照して説明する。
【００３７】
まず、ＣＰＵ１９１は、シャッター１４により第１排気口１３が閉じられたか否かを判断する（ステップＳ１）。
具体的には、ＣＰＵ１９１は、センサ１７から検知信号が入力されたか否かを判断する。
【００３８】
ステップＳ１で、シャッター１４により第１排気口１３が閉じられていないと判断すると（ステップＳ１；Ｎｏ）、すなわち、センサ１７から検知信号が入力されていないと判断すると、ＣＰＵ１９１は、ステップＳ１の処理を繰り返して行う。
【００３９】
一方、ステップＳ１で、シャッター１４により第１排気口１３が閉じられたと判断すると（ステップＳ１；Ｙｅｓ）、すなわち、センサ１７から検知信号が入力されたと判断すると、ＣＰＵ１９１は、計時制御プログラム１９３ｂを実行して、計時部１８に制御信号を入力して、計時させる（ステップＳ２）。
【００４０】
次いで、ＣＰＵ１９１は、判断プログラム１９３ｃを実行して、計時部１８により計時された時間が、予め設定された所定時間を上回ったか否かを判断する（ステップＳ３）。
【００４１】
ステップＳ３で、計時部１８により計時された時間が、予め設定された所定時間を上回っていないと判断すると（ステップＳ３；Ｎｏ）、ＣＰＵ１９１は、ステップＳ２以降の処理を繰り返して行う。
【００４２】
一方、ステップＳ３で、計時部１８により計時された時間が、予め設定された所定時間を上回ったと判断すると（ステップＳ３；Ｙｅｓ）、ＣＰＵ１９１は、報知制御プログラム１９３ｄを実行して、ディスプレイ１１に制御信号を入力して、シャッター１４により第１排気口１３が閉じられてからの時間が、予め設定された所定時間を上回った旨を報知させる（ステップＳ４）。
【００４３】
次いで、ＣＰＵ１９１は、シャッター１４により第１排気口１３が開かれたか否かを判断する（ステップＳ５）。
具体的には、ＣＰＵ１９１は、センサ１７からの検知信号の入力が停止したか否かを判断する。
【００４４】
ステップＳ５で、シャッター１４により第１排気口１３が開かれていないと判断すると（ステップＳ５；Ｎｏ）、すなわち、センサ１７からの検知信号の入力が停止していないと判断すると、ＣＰＵ１９１は、ステップＳ４以降の処理を繰り返して行う。
【００４５】
一方、ステップＳ５で、シャッター１４により第１排気口１３が開かれたと判断すると（ステップＳ５；Ｙｅｓ）、すなわち、センサ１７からの検知信号の入力が停止したと判断すると、ＣＰＵ１９１は、本処理を終了する。
そして、ＣＰＵ１９１は、再びステップ１以降の処理を繰り返して行う。
【００４６】
以上説明した本発明の表示装置１によれば、筐体１０内に表示画面が筐体１０の前面から露出するように配置されたディスプレイ１１と、筐体１０内に配置された排気ファン１２と、筐体１０の後面側に設けられ排気ファン１２の回転により生じた風を排出する第１排気口１３と、第１排気口１３を開閉可能なシャッター１４と、ディスプレイ１１の前側上方に設けられ、ディスプレイ１１の下方に向けて開口し、筐体１０内と連通する第２排気口１５と、を備えている。
したがって、シャッター１４を閉じると、排気ファン１２の回転により生じた風が、第２排気口１５のみから排出されて、ディスプレイ１１の表面に吹き付けられることになるため、ディスプレイ１１に付着した埃等を吹き飛ばすことができるとともに、シャッター１４を開けると、排気ファン１２の回転により生じた風が、第１排気口１３からも排出されることになるため、排気ファン１２の放熱効率を維持することができる。
すなわち、排気ファン１２の位置を通常の位置（ディスプレイ１１の後側等）のまま変更することなく、シャッター１４及び第２排気口１５を設けるだけの簡易な構成で、排気ファン１２の放熱効率を低下させることなくディスプレイ１１に付着した埃等を吹き飛ばすことができる。
【００４７】
また、表示装置１によれば、排気ファン１２の回転により生じた風を第２排気口１５へと導くダクト１６を備えているため、排気ファン１２の回転により生じた風を、第２排気口１５へと効率よく導くことができる。
【００４８】
また、表示装置１によれば、シャッター１４により第１排気口１３が閉じられてからの時間を計時する計時部１８と、計時部１８により計時された時間が所定時間を上回ったか否かを判断する判断プログラム１９３ｃを実行したＣＰＵ１９１と、を備え、判断プログラム１９３ｃを実行したＣＰＵ１９１により上回ったと判断された場合に、その旨を報知するようになっている。
したがって、シャッター１４により第１排気口１３が閉じられたままの状態では排気ファン１２の放熱効率が低下してしまうが、その状態を回避するために報知するようになっているため、排気ファン１２の放熱効率の低下を防止することができる。
【００４９】
なお、本発明は、上記した実施の形態のものに限るものではなく、その要旨を逸脱しない範囲で適宜変更可能である。
【００５０】
シャッター１４による第１排気口１３の開閉を手動で行うよう構成したが、シャッタ１４を自動的に開閉させる開閉手段を設け、所定のタイミングで定期的に行うよう構成しても良い。
【００５１】
シャッター１４により第１排気口１３が閉じられてからの時間が所定時間を上回ったと判断された場合にその旨を報知する報知手段は、ディスプレイ１１に限ることはなく、例えば、表示装置１が有する図示しないスピーカ等であっても良い。
【図面の簡単な説明】
【００５２】
【図１】本発明の表示装置の側面断面図である。
【図２】本発明の表示装置の背面図である。
【図３】本発明の表示装置の機能的構成を示すブロック図である。
【図４】本発明の表示装置による報知に関する処理について説明するためのフローチャートである。
【符号の説明】
【００５３】
１  表示装置
１０  筐体
１１  ディスプレイ（報知手段）
１２  排気ファン
１３  第１排気口
１４  シャッター
１５  第２排気口
１６  ダクト
１８  計時部（計時手段）
１９１  ＣＰＵ（判断手段）
１９３ｃ  判断プログラム（判断手段）
【図１】
2009020170.tif 000003
【図２】
2009020170.tif 000004
【図３】
2009020170.tif 000005
【図４】
2009020170.tif 000006